(57)【要約】【課題】正当な施解錠者にとっては鍵や特殊な用具等を用いることなく、簡単な操作のみで扉錠の鍵穴を開放させる事が可能となる一方、部外者にとっては簡単には鍵穴を開放する事のできない扉錠用鍵穴カバーを提供する。【解決手段】扉錠用鍵穴カバーは、鍵穴に鍵操作穴１１４を連通させた状態で扉錠に固定されるベース部材１１と、ベース部材１１を覆い且つベース部材１１の中心を軸に回転自在に設けられた環状のカバー部材１２と、ベース部材１１に連結されてキャップ嵌合穴１２１に嵌合された状態で鍵操作穴１１４を覆うキャップ部材１３と、カバー部材１２の回転動作に連動して埋没嵌合状態と嵌合解除状態との切り替えを行うカムリング機構ＣＲＭと、カバー部材１２の軸方向位置が第一位置にある状態でカバー部材１２の回転動作を規制し、軸方向位置が第二位置にある状態で回転動作の規制を解除する回転規制機構ＣＣＭと、を備えた。【選択図】図５
2011202485.tif 000002
【特許請求の範囲】
【請求項１】
扉錠の鍵穴を隠すために該扉錠に取り付けられる扉錠用鍵穴カバーであって、
円形外周側面を有し、前記鍵穴に鍵操作穴を連通させた状態で前記扉錠に固定されるベース部材と、
前記ベース部材を覆い、且つ該ベース部材の中心を軸に回転自在に設けられ、該ベース部材の前記鍵操作穴が外部に臨むような開口穴であるキャップ嵌合穴が形成された環状のカバー部材と、
前記ベース部材に連結され、前記カバー部材の前記キャップ嵌合穴に嵌合された状態で該ベース部材の前記鍵操作穴を覆うキャップ部材と、
前記カバー部材の回転動作に連動して、前記キャップ嵌合穴に前記キャップ部材が埋没した状態で嵌合される埋没嵌合状態と、該キャップ部材の嵌合が解除される嵌合解除状態との切り替えを行う切り替え機構と、
前記ベース部材の中心軸方向における前記カバー部材の該ベース部材に対する相対位置が第一位置にある状態で該カバー部材の回転動作を規制する一方、該カバー部材の該相対位置が該第一位置に比べて該ベース部材から離間した第二位置にある状態で該回転動作の規制を解除する回転規制機構と、
を備える、
扉錠用鍵穴カバー。
【請求項２】
前記カバー部材における前記キャップ嵌合穴内部には、前記キャップ部材の周縁部を支持するためのキャップ支持部が形成され、
前記切り替え機構は、前記キャップ支持部に環状に形成されるカバー側カムと、前記キャップ部材の周縁部に環状に形成されるキャップ側カムとを有し、前記カバー部材の回転動作に連動して前記カバー側カムと前記キャップ側カムとにおける互いの当接位置を変化させることで前記カバー部材に対する前記キャップ部材のリフト量を変化させる、
請求項１に記載の扉錠用鍵穴カバー。
【請求項３】
前記カバー側カム及び前記キャップ側カムの各々は、相対的に突出したカム凸部と該カム凸部に比べて凹んでいるカム凹部とを有してなり、
前記カバー側カム及び前記キャップ側カムにおける互いのカム凸部とカム凹部とが係合することで前記キャップ部材が前記埋没嵌合状態となり、
前記カバー側カム及び前記キャップ側カムにおける互いのカム凸部同士が重なることで前記キャップ部材が前記嵌合解除状態となる、
請求項２に記載の扉錠用鍵穴カバー。
【請求項４】
前記カバー側カム及び前記キャップ側カムの各々において、複数のカム凸部及びカム凹部が交互に並んで配置されており、隣り合うカム凸部とカム凹部が傾斜面によって接続される、
請求項３に記載の扉錠用鍵穴カバー。
【請求項５】
前記回転規制機構は、前記カバー部材及び前記ベース部材の何れか一方に設けられた係止用突起と、何れか他方に設けられて且つ該係止用突起部が嵌合される嵌合溝と、を含んで構成され、
前記カバー部材が前記第一位置にある状態では、前記係止用突起及び前記嵌合溝が嵌合し、該カバー部材が前記第二位置にある状態では、該係止用突起及び該嵌合溝の嵌合が解除される、
請求項１から４の何れか一項に記載の扉錠用鍵穴カバー。
【請求項６】
前記カバー部材を前記第二位置から第一位置に変位させる方向に向けて付勢する付勢手
段を更に備え、
前記カバー部材の回転動作に伴い、前記係止用突起及び前記嵌合溝が前記ベース部材の中心軸方向に重なった時に、前記付勢手段による付勢力によって、該係止用突起及び該嵌合溝が自動的に嵌合する、
請求項５に記載の扉錠用鍵穴カバー。
【請求項７】
前記カバー部材の回転動作に伴い、その回転位置が前記埋没嵌合状態と前記嵌合解除状態との切り替え位置に一致した時に、前記係止用突起及び前記嵌合溝が前記ベース部材の中心軸方向において重なるように該係止用突起及び該嵌合溝が配置される、
請求項６に記載の扉錠用鍵穴カバー。
【発明の詳細な説明】
【技術分野】
【０００１】
本発明は、扉錠の鍵穴を隠すために取り付けられる扉錠用鍵穴カバーに関する。
【背景技術】
【０００２】
従来、扉錠の鍵穴を隠すために該扉錠に取り付けられる扉錠用鍵穴カバーが各種提案されている。この種の扉錠用鍵穴カバーは、セキュリティ性を高めたり、不正な悪戯を防止するため等に利用されている。これに関連して、例えば扉錠の鍵穴（孔）を開閉可能な蓋で覆って、当該蓋を第二の錠によって施錠することの可能な扉用二重錠が公知である（例えば、特許文献１を参照。）。しかし、一般には、複数の鍵を携帯しなければならず、その一部を携帯し忘れた場合等には解錠する事ができないため、広く普及するには至っていない。
【０００３】
一般的な扉錠用鍵穴カバーの一例として、扉錠の鍵穴と、その鍵操作穴とを連通させて取り付けるベース部材と、このベース部材に回動可能に連結して鍵操作穴を開閉する円形蓋状のキャップ部材とで構成された扉錠用鍵穴カバーが一般的である。この扉錠用鍵穴カバーでは、例えば非施解錠時は、鍵穴の防塵や防水のため、或いは鍵穴を不正に悪戯されないように、キャップ部材をベース部材上に重ねる事によって、鍵穴を隠している。
【０００４】
ところが、上記したような扉錠用鍵穴カバーでは、鍵穴をキャップ部材で隠すことによって、鍵穴の存在を一見して気付かれないようになっているが、キャップ部材をベース部材に対して回動操作するだけで、簡単に鍵穴を露出させることができてしまう。従って、意識的に鍵穴に異物を詰めたりして不正に悪戯しようとする者に対しては、その悪戯を防止しきれないというのが実情である。
【０００５】
特許文献２には、鍵錠上に、その鍵穴に鍵操作穴を連通させて固定するキャップベースと、キャップベースに回動可能に連結して鍵操作穴を開閉するキャップカバーとからなり、キャップカバーを開方向に回動したとき、鍵操作穴を開放して鍵穴を外部に臨ませる鍵錠用キャップにおいて、キャップベースには、キャップカバー側上向きにピン挿通口をあけたガイド穴と、そのガイド穴と一端側が連通する一方、他端側を周縁部に向けてあけて外部操作部材の挿入口を形成した細軸差込み穴を設け、ガイド穴内に、基部側に係止凸部を有する磁性体のストッパピンを、その頭部をピン挿通口から出没可能に遊嵌する一方、キャップカバーには、それを閉めてキャップベース上に重ねたとき、ピン挿通口と連通する位置に下向きにピン受け口をあけたピン係合凹部を設け、ピン係合凹部内に、ストッパピンの頭部を吸着する磁石を嵌着してなる、鍵錠用キャップが開示されている。
【先行技術文献】
【特許文献】
【０００６】
【特許文献１】特開２００２−９７８２１号公報
【特許文献２】特開２００５−２７３１８９号公報
【発明の概要】
【発明が解決しようとする課題】
【０００７】
特許文献２に開示されている鍵錠用キャップによれば、たしかに、正当な施解錠者にとっては簡単な操作でキャップ部材（キャップカバー）を開けられる一方、不正に悪戯しようとする者にとっては、たとえ鍵錠の存在に気付いても簡単にはキャップ部材（キャップカバー）を開ける事ができない。
【０００８】
しかしながら、この鍵錠用キャップを使用する場合、正当な施解錠者に外部操作部材の携帯を必要とさせてしまうため、外部操作部材を携帯し忘れた場合には解錠することができないという不具合が生じ得る。また、この外部操作部材を、先端に細軸部を有する鍵錠に専用の施解除キーで代用することができるにしても、外部操作部材の挿入口は外部に露出しているため、不正に悪戯しようとする者にしてみれば容易に異物をこの挿入口に詰める事ができてしまう。従って、この種の扉錠用鍵穴カバーにはいまだ改善の余地があると考えられる。
【０００９】
本発明は、上記した問題に鑑みてなされたものであり、その目的は、正当な施解錠者にとっては鍵や特殊な用具等を用いることなく、簡単な操作のみで扉錠の鍵穴を開放させる事が可能となる一方、正当な施解錠者ではない者（以下、「部外者」ともいう）にとっては、簡単には鍵穴を開放する事のできない扉錠用鍵穴カバーを提供する事にある。
【課題を解決するための手段】
【００１０】
本発明は、以下の構成を備えることで、上記課題を解決することとした。即ち、本発明は、扉錠の鍵穴を隠すために該扉錠に取り付けられる扉錠用鍵穴カバーであって、円形外周側面を有し、前記鍵穴に鍵操作穴を連通させた状態で前記扉錠に固定されるベース部材と、前記ベース部材を覆い、且つ該ベース部材の中心を軸に回転自在に設けられ、該ベース部材の前記鍵操作穴が外部に臨むような開口穴であるキャップ嵌合穴が形成された環状のカバー部材と、前記ベース部材に連結され、前記カバー部材の前記キャップ嵌合穴に嵌合された状態で該ベース部材の前記鍵操作穴を覆うキャップ部材と、前記カバー部材の回転動作に連動して、前記キャップ嵌合穴に前記キャップ部材が埋没した状態で嵌合される埋没嵌合状態と、該キャップ部材の嵌合が解除される嵌合解除状態との切り替えを行う切り替え機構と、前記ベース部材の中心軸方向における前記カバー部材の該ベース部材に対する相対位置が第一位置にある状態で該カバー部材の回転動作を規制する一方、該カバー部材の該相対位置が該第一位置に比べて該ベース部材から離間した第二位置にある状態で該回転動作の規制を解除する回転規制機構と、を備える扉錠用鍵穴カバーである。
【００１１】
本発明において、非施解錠操作時には、カバー部材の回転位置が埋没嵌合状態に対応する位置に維持され、カバー部材のベース部材に対する相対位置が第一位置に維持される。これによれば、キャップ部材が埋没嵌合状態に維持されるため、部外者はキャップ部材を直接掴むことができず、キャップ部材をキャップ嵌合穴から引き出す事はできない。また、正当な施解錠者でなければ回転規制機構の存在に気が付かないため、部外者がベース部材に対するカバー部材の相対位置を第一位置から第二の位置に変位させることは容易ではない。従って、非施解錠操作時において、部外者が切り替え機構を作動させて埋没嵌合状態から嵌合解除状態に切り替えられることはない。よって、本発明によれば、非施解錠操作時において、部外者によって鍵操作穴が開放される事がなく、不正な解錠や悪戯を抑制する事ができる。
【００１２】
一方、本発明に係る扉錠用鍵穴カバーの動作方法を知っている正当な施解錠者が扉錠の施解錠操作（施錠もしくは解錠操作）を行う際には、この施解錠者によって、カバー部材が第一位置から第二位置まで変位させられると共に、嵌合解除状態に対応する回転位置まで回転させられる。このように、カバー部材の上記相対位置が第二位置となることでカバー部材の回転動作が許可されるようになる。従って、正当な施解錠者はカバー部材を回転操作することにより切り替え機構を作動させ、埋没嵌合状態から嵌合解除状態へと容易に切り替える事ができる。これにより、キャップ部材に覆われている鍵操作穴を外部に臨ませることが可能となり、容易に鍵穴を開放することができる。
【００１３】
また、本発明の扉錠用鍵穴カバーにおいて、前記カバー部材における前記キャップ嵌合穴内部には、前記キャップ部材の周縁部を支持するためのキャップ支持部が形成され、前
記切り替え機構は、前記キャップ支持部に環状に形成されるカバー側カムと、前記キャップ部材の周縁部に環状に形成されるキャップ側カムとを有し、前記カバー部材の回転動作に連動して前記カバー側カムと前記キャップ側カムとにおける互いの当接位置を変化させることで前記カバー部材に対する前記キャップ部材のリフト量を変化させてもよい。
【００１４】
この構成によれば、カバー部材とキャップ部材との間の相対回転運動が、カバー側カム及びキャップ側カムによって、キャップ部材の上下運動に変換されることで、キャップ部材のリフト量を変化させる事ができる。この構成では、キャップ部材のリフト量が最小となるときにキャップ部材が埋没嵌合状態となり、該リフト量が最大となるときに嵌合解除状態となるように、カバー側カム及びキャップ側カムにおけるカムプロファイルや、カバー部材及びキャップ部材の形状パラメータ等が設定されるとよい。
【００１５】
また、前記カバー側カム及び前記キャップ側カムの各々は、相対的に突出したカム凸部と該カム凸部に比べて凹んでいるカム凹部とを有してなり、前記カバー側カム及び前記キャップ側カムにおける互いのカム凸部とカム凹部とが係合することで前記キャップ部材が前記埋没嵌合状態となり、前記カバー側カム及び前記キャップ側カムにおける互いのカム凸部同士が重なることで前記キャップ部材が前記嵌合解除状態となるように構成されてもよい。
【００１６】
ここで、カバー側カム及びキャップ側カムにおける互いのカム凸部とカム凹部とが係合するときに、キャップ部材のリフト量が最小となる。また、カバー側カム及びキャップ側カムにおける互いのカム凸部同士が重なり合うときに、キャップ部材のリフト量が最大となる。そのため、この構成では、ベース部材に対するカバー部材の相対回転動作に連動し、キャップ部材の埋没嵌合状態と嵌合解除状態との切り替えを好適に行う事ができる。
【００１７】
また、例えば、前記カバー側カム及び前記キャップ側カムの各々において、複数のカム凸部及びカム凹部が交互に並んで配置されており、隣り合うカム凸部とカム凹部が傾斜面によって接続されてもよい。
【００１８】
また、本発明の扉錠用鍵穴カバーにおいて、前記回転規制機構は、前記カバー部材及び前記ベース部材の何れか一方に設けられた係止用突起と、何れか他方に設けられて且つ該係止用突起部が嵌合される嵌合溝と、を含んで構成され、前記カバー部材が前記第一位置にある状態では、前記係止用突起及び前記嵌合溝が嵌合し、該カバー部材が前記第二位置にある状態では、該係止用突起及び該嵌合溝の嵌合が解除されてもよい。これによれば、簡易な機構によって、カバー部材の回転動作を規制とその解除を切り替える事ができる。
【００１９】
また、本発明の扉錠用鍵穴カバーにおいて、前記カバー部材を前記第二位置から第一位置に変位させる方向に向けて付勢する付勢手段を更に備え、前記カバー部材の回転動作に伴い、前記係止用突起及び前記嵌合溝が前記ベース部材の中心軸方向に重なった時に、前記付勢手段による付勢力によって、該係止用突起及び該嵌合溝が自動的に嵌合するように構成されてもよい。
【００２０】
また、本発明の扉錠用鍵穴カバーにおいて、前記カバー部材の回転動作に伴い、その回転位置が前記埋没嵌合状態と前記嵌合解除状態との切り替え位置に一致した時に、前記係止用突起及び前記嵌合溝が前記ベース部材の中心軸方向において重なるように該係止用突起及び該嵌合溝が配置されてもよい。この構成によれば、キャップ部材の状態が埋没嵌合状態と嵌合解除状態の間で切り替えられるタイミングと、カバー部材における回転動作の規制及びその解除が切り替わるタイミングを同期させる事ができる。
【発明の効果】
【００２１】
本発明によれば、正当な施解錠者にとっては鍵や特殊な用具等を用いることなく、簡単な操作のみで扉錠の鍵穴を開放させる事が可能となる一方、部外者にとっては簡単には鍵穴を開放する事のできない扉錠用鍵穴カバーを提供する事ができる。
【図面の簡単な説明】
【００２２】
【図１】実施形態に係る扉錠用鍵穴カバー１を扉錠１００に取り付けた状態を示す斜視図である。
【図２】実施形態に係る錠用鍵穴カバーの主要構造を説明するための説明図である。
【図３】実施形態に係る扉錠用鍵穴カバーの表面側を示した斜視図である。
【図４】実施形態に係るキャップ部材がカバー部材に嵌められた状態での扉錠用鍵穴カバーの表面図である。
【図５】図４に示したＡ−Ａ線断面図である。
【図６】図５に示したＢ−Ｂ線断面図である。
【図７】実施形態に係る扉錠用鍵穴カバーの表面側を示した分解斜視図である。
【図８】実施形態に係る扉錠用鍵穴カバーの裏面側を示した分解斜視図である。
【図９Ａ】実施形態に係るカバー部材の表面側を示した斜視図である。
【図９Ｂ】実施形態に係るカバー部材の裏面側を示した斜視図である。
【図１０】実施形態に係るカバー部材の断面構造を説明するための説明図である。（ａ）は、カバー部材の表面を示した図である。（ｂ）は、（ａ）に示したＸ−Ｘ線断面図である。（ｃ）は、（ａ）に示したＹ−Ｙ線断面図である。
【図１１】実施形態に係るキャップ部材の裏面側を示した斜視図である。
【図１２】実施形態に係るキャップ部材の断面構造を説明するための説明図である。（ａ）は、キャップ部材の裏面を示した図である。（ｂ）は、（ａ）に示したＸ−Ｘ線断面図である。（ｃ）は、（ａ）に示したＹ−Ｙ線断面図である。
【図１３】実施形態に係るベース部材の表面側を示した斜視図である。
【図１４】実施形態に係る扉錠用鍵穴カバーの使用状態を示す第一の状態図である。
【図１５】実施形態に係る扉錠用鍵穴カバーの使用状態を示す第二の状態図である。
【図１６】実施形態に係る扉錠用鍵穴カバーの使用状態を示す第三の状態図である。
【図１７】実施形態に係る扉錠用鍵穴カバーの使用状態を示す第四の状態図である。
【図１８】実施形態に係る扉錠用鍵穴カバーの使用状態を示す第五の状態図である。
【発明を実施するための形態】
【００２３】
＜第一実施形態＞
図１は、実施形態に係る扉錠用鍵穴カバー１を扉錠１００に取り付けた状態を示す斜視図である。図２は、扉錠用鍵穴カバー１の主要構造を説明するための説明図である。本実施形態において、扉錠用鍵穴カバー１は、扉２００に組み込まれた扉錠１００の鍵穴を隠すために該扉錠１００に取り付けられる。
【００２４】
扉錠１００は例えばシリンダ錠であり、錠ケース本体１０１に図示しないシリンダが組み込まれている。また、錠ケース本体１０１には、掛け金１０２が出没自在に組み込まれている。扉錠１００は、その錠ケース本体１０１がボルト等の固定具によって扉２００に固定されている。なお、扉２００には、鍵穴１０３を外部に臨ませるための貫通穴が形成されており、錠ケース本体１０１を扉２００に固定する際には、その貫通穴に鍵穴１０３が連通するように位置が合わせられている。
【００２５】
扉錠用鍵穴カバー１は、扉２００に組み込まれた扉錠１００に固定されるベース部材１１と、ベース部材１１を覆うように被せられるカバー部材１２と、キャップ部材１３と、を主要構造部材として備える。ベース部材１１には、鍵穴１０３と連通する鍵操作穴１１４（詳しくは、後述する）が形成されており、正当な施解錠者が扉錠１００の施錠または解錠（開錠）を行う際には、この鍵操作穴１１４を介して鍵穴１０３に鍵Ｋを挿入する。
即ち、ベース部材１１に形成される鍵操作穴１１４は、正当な施解錠者が鍵Ｋを鍵穴１０３に挿入して扉錠１００の施解錠操作を行う際に、鍵Ｋを鍵穴に導くガイド穴として機能する。
【００２６】
通常、非施解錠操作時には、図１に示す状態となっており、ベース部材１１に形成される鍵操作穴１１４が隠された状態となっている。具体的には、キャップ部材１３が環状のカバー部材１２に埋没した状態となるように嵌合されている。これにより、正当な施解錠者以外の者（部外者）、例えば不正な侵入者等がキャップ部材１３を抉じ開ける事ができない。一方、正当な施解錠者が扉錠１００の施解錠を行う場合には、当該正当な施解錠者にとっては簡単な操作で、図３に示すようにキャップ部材１３を開けることができ、ベース部材１１における鍵操作穴１１４を外部に臨ませた状態にできる。図３は、扉錠用鍵穴カバー１の表面側を示した斜視図である。
【００２７】
次に、扉錠用鍵穴カバー１の詳細な構造について説明する。図４は、キャップ部材１３がカバー部材１２に嵌められた状態での扉錠用鍵穴カバー１の表面図である。本明細書において、扉２００の前方から扉錠１００に装着されている扉錠用鍵穴カバー１を眺めた場合に見える面を「表面」として定義し、その逆側の面を「裏面」として定義する。図５及び図６は、図４に示したＡ−Ａ線断面図、Ｂ−Ｂ線断面図である。図７及び図８は、扉錠用鍵穴カバー１の分解斜視図である。図７は、扉錠用鍵穴カバー１の表面側を示した分解斜視図であり、図８は、扉錠用鍵穴カバー１の裏面側を示した分解斜視図である。
【００２８】
図５及び図６に示すように、ベース部材１１は、段付きの略円柱形状に成形されたベース本体部１１１を有し、固定用ビス１１２，１１２によってベース本体部１１１が扉錠１００（錠ケース本体１０１）に固定されている。ベース本体部１１１は、相対的に径の大きな大径部１１１ａの上部に、該大径部１１１ａよりも一段細径に成形された小径部１１１ｂが形成されている。図５に示した符号ＣＬはベース本体部１１１の中心軸を表す。大径部１１１ａ及び小径部１１１ｂは、中心軸ＣＬを中心とした円形の外周側面を有してなる。また、図中の符号１１３は、所謂Ｏリングを表す。Ｏリングは、断面がO形（円形）
の環型をした密封用（シール用）機械部品であり、材質には例えばゴムを使用する事ができる。また、固定用ビス１１２，１１２の頭部は、その上から貼り付けられる化粧カバー１１６によって覆われている。
【００２９】
ベース部材１１には、鍵穴１０３が連通する鍵操作穴１１４が設けられている。図５において、鍵操作穴１１４は、円形の鍵穴１０３と中心が一致する同軸位置に設けられた円形中空部である。具体的には、中心軸ＣＬ方向、即ちベース部材１１の厚さ方向に沿ってベース部材１１を貫通して穿設される貫通穴と、この貫通穴に接続される嵌めこみ式（脱着式）の鍵穴パイプ１１５内の中空部によって、鍵操作穴１１４が形成されている。以上のように構成されたベース部材１１は、鍵穴１０３に鍵操作穴１１４を連通させた状態で扉錠１００に固定される。
【００３０】
ベース部材１１には、略環状（リング状）のカバー部材１２が該ベース部材１１を覆うように被せられている。より詳しくは、カバー部材１２は、ベース部材１１の中心軸ＣＬを回転中心として、回転自在に設けられている。また、カバー部材１２は、ベース部材１１に被せられた際に、鍵操作穴１１４が外部に臨むように、円形のキャップ嵌合穴１２１が形成された環状部材である。このキャップ嵌合穴１２１には、後述するように非施解錠操作時においてはキャップ部材１３が嵌合される。また、施解錠操作時には、キャップ嵌合穴１２１へのキャップ部材１３の嵌合が解除される。
【００３１】
図５に示すように、カバー部材１２において、キャップ嵌合穴１２１の内側に位置する内周面１２２には、小径部１１１ｂの外周側面に向かってキャップ支持部１２３が突設さ
れている。キャップ支持部１２３は、キャップ部材１３を支持するための部材であり、その詳細は後述する。
【００３２】
キャップ部材１３は、キャップ嵌合穴１２１に嵌合可能に形成された円形状の蓋体である。本実施形態において、キャップ部材１３は、キャップ嵌合穴１２１の内径に比べて僅かに小さな外径を有してなる。キャップ部材１３の裏面側（図５中、下側の面）には、軸部材１３１の一端が固定されている。この軸部材１３１は、キャップ部材１３の中心から偏心した位置にその一端が固定され、且つ、ベース部材１１に対して回動自在に設けられた回動軸である。
【００３３】
ベース部材１１のベース本体部１１１には、鍵操作穴１１４と略対称な反端側に位置し、中心軸ＣＬに沿ってベース本体部１１１を貫通してなる貫通孔（以下、「回動軸挿入穴」という）１１７が設けられている。軸部材１３１は、回動軸挿入穴１１７に比べて細径であり、回動軸挿入穴にベース部材１１の正面側から挿入されることで、軸部材１３１がベース部材１１に遊嵌されている。また、回動軸挿入穴１１７の内径は、正面側が最も小さく、順次、裏面側に向かって二段階にわたり拡径されている（図５を参照）。このように、段階的に内径が拡大する箇所で形成される段差部分を、正面側から第一段差部１１８ａ、第二段差部１１８ｂと称する。
【００３４】
扉錠用鍵穴カバー１の組み立てに際しては、正面側からベース部材１１の回動軸挿入穴１１７に挿入された軸部材１３１に対して、ベース部材１１の裏面側から回動軸挿入穴１１７に収容されているバネ部材１４１が装着される。バネ部材１４１の一端側は第一段差部１１８ａに当接することで、正面側にすり抜けないようになっている。
【００３５】
また、軸部材１３１の他端側には、ストッパ１４３を差し込むための細径孔が形成されている。バネ部材１４１が装着された軸部材１３１に対し、その他端側からワッシャ１４２が嵌め込まれる。そして、ワッシャ１４２の一方の面によってバネ部材１４１が縮まるように押圧した状態で、軸部材１３１の細径孔にストッパ１４３が差し込まれる。このようにして、バネ部材１４１は第一段差部１１８ａとワッシャ１４２の間に挟まれた状態で回動軸挿入穴１１７内に収容される。
【００３６】
ここで、バネ部材１４１が回動軸挿入穴１１７に収容された状態において、バネ部材１４１は原形状に比べて縮んだ状態に保持される。そのため、バネ部材１４１が伸長しようとする弾性復元力が軸部材１３１からキャップ部材１３へと伝達され、キャップ部材１３をベース部材１１に向けて付勢する付勢力として作用する。
【００３７】
ところで、キャップ部材１３における裏面側の周縁には環状リブ１３２が形成されており、この環状リブ１３２がカバー部材１２におけるキャップ支持部１２３によって支持されている。そのため、バネ部材１４１の付勢力はキャップ部材１３を介してカバー部材１２に伝達される。その結果、バネ部材１４１によって、キャップ部材１３及びカバー部材１２の双方が、ベース部材１１に接近する方向に付勢されるようになっている。
【００３８】
尚、各構成部材の詳細動作については後述するが、バネ部材１４１の付勢力に対抗して扉２００から離れる方向（即ち、扉前方に向かって）にカバー部材１２及びキャップ部材１３が引き出されるときの状況を考える。この場合、ワッシャ１４２が図５における上側に移動するのであるが、その移動はワッシャ１４２が第二段差部１１８ｂに接触することにより規制される。言い換えると、キャップ部材１３は、第二段差部１１８ｂに接触するまでは、ベース部材１１から離間する方向への相対移動が許容される。つまり、キャップ部材１３は、ベース部材１１に対して回動自在に、且つ所定範囲内で中心軸ＣＬ方向に往復動自在に、ベース部材１１と連結されている。
【００３９】
扉錠用鍵穴カバー１は、正当な施解錠者にとっては鍵や特殊な用具等を用いることなく、簡単な操作のみで扉錠１００の鍵穴１０３を露出させる事によって施解錠が可能となる一方、部外者にとっては簡単には鍵穴を開放する事のできないように構成されている。このような効果を実現するために特有な構成として、カムリング機構ＣＲＭ（本発明の切り替え機構に対応する。）と、回転規制機構ＣＣＭを備えている。
【００４０】
上述のように、カバー部材１２は、ベース部材１１の中心軸ＣＬを中心にベース部材１１と相対回転可能に設けられている。カムリング機構ＣＲＭは、カバー部材１２の回転動作に連動して、キャップ嵌合穴１２１にキャップ部材１３が埋没した状態で嵌合される「埋没嵌合状態」と、キャップ部材１３の嵌合が解除される「嵌合解除状態」とを、切り替え可能な機構である。
【００４１】
但し、カバー部材１２の回転操作をいつでも可能にしてしまうと、部外者でも埋没嵌合状態から嵌合解除状態への切り替えが容易となってしまうため、本発明に係る扉錠用鍵穴カバー１では、カバー部材１２の回転操作とは異なる所定の操作を行わない限り、該カバー部材１２の回転動作を規制する回転規制機構ＣＣＭも備えるようにした。詳しくは後述するが、この所定の操作とは、カバー部材１２をベース部材１１の中心軸ＣＬ方向に沿ってベース部材１１から離間する方向にスライドさせる操作である。即ち、この操作は、カバー部材１２を扉２００前方に向かって引き出す操作という事ができる。
【００４２】
次に、図面を参照して、カムリング機構ＣＲＭ及び回転規制機構ＣＣＭの具体的な構成を説明する。図９Ａは、カバー部材１２における表面側を示した斜視図であり、図９Ｂは、カバー部材１２における裏面側を示した斜視図である。また、図１０は、カバー部材１２の断面構造を説明するための説明図である。図１０（ａ）は、カバー部材１２の表面図である。図１０（ｂ）は、（ａ）に示したＸ−Ｘ線断面図である。図１０（ｃ）は、（ａ）に示したＹ−Ｙ線断面図である。
【００４３】
図１１は、キャップ部材１３の裏面側を示した斜視図である。図１２は、キャップ部材１３の断面構造を説明するための説明図である。図１２（ａ）は、キャップ部材１３の裏面を示した図である。図１２（ｂ）は、（ａ）に示したＸ−Ｘ線断面図である。図１２（ｃ）は、（ａ）に示したＹ−Ｙ線断面図である。また、図１３は、ベース部材１１の表面側を示した斜視図である。
【００４４】
カムリング機構ＣＲＭについて説明する。カムリング機構ＣＲＭは、カバー部材１２側と、キャップ部材１３側のそれぞれに形成されるリング状のカムを組み合わせて構成されている。
【００４５】
先ず、図９Ａ及び図１０を参照して、カバー部材１２側に設けられるカム（以下、「カバー側カム」という）を説明する。カバー側カムは、キャップ部材１３の裏面と当接するキャップ支持部１２３の支持面に形成される。図示のように、カバー側カムはカム凸部１２４ａ、カム凹部１２４ｂ、カム傾斜部１２４ｃによって構成されており、凹凸形状が繰り返されたリング状のカムである。カバー側カムを構成する部位のうち、カム凸部１２４ａはカム凹部１２４ｂに比べて相対的に突出している凸部であり、カム凹部１２４ｂはカム凸部１２４ａに比べて凹んだ凹部であり、カム傾斜部１２４ｃはカム凸部１２４ａ及びカム凹部１２４ｂの間に位置する傾斜面（らせん面）である。
【００４６】
カム凸部１２４ａ及びカム凹部１２４ｂは共に、中心軸ＣＬに略直交する平面として構成されている。また、二つずつのカム凸部１２４ａとカム凹部１２４ｂとは、交互に、中心軸ＣＬを中心に９０°間隔で配置されている。尚、隣り合うカム凸部１２４ａ及びカム
凹部１２４ｂの高低差はいずれの箇所においても等しくなるようにカバー側カムが構成されている。
【００４７】
次に、図１１及び図１２を参照して、キャップ部材１３側に設けられるカム（以下、「キャップ側カム」という）を説明する。キャップ側カムは、キャップ部材１３の環状リブ１３２に形成される、凹凸形状が繰り返されたリング状のカムである。キャップ側カムは、前述のカバー側カムと係わり合って、カバー部材１２に対するキャップ部材１３のリフト量を変更する。
【００４８】
キャップ側カムを構成する部位のうち、カム凸部１３３ａはカム凹部１３３ｂに比べて相対的に突出している凸部であり、カム凹部１３３ｂはカム凸部１３３ａに比べて凹んだ凹部であり、カム傾斜部１３３ｃはカム凸部１３３ａ及びカム凹部１３３ｂの間に位置する傾斜面（らせん面）である。
【００４９】
カム凸部１３３ａ及びカム凹部１３３ｂは共に、中心軸ＣＬに略直交する平面として構成されている。また、二つずつのカム凸部１３３ａとカム凹部１３３ｂとは、交互に、中心軸ＣＬを中心に９０°間隔で配置されている。尚、隣り合うカム凸部１３３ａ及びカム凹部１３３ｂの高低差はいずれの箇所においても等しくなるように、キャップ側カムが構成されている。
【００５０】
ここで、カバー側カムとキャップ側カムは、それぞれのカム凸部（１２４ａ，１３３ａ）カム凹部（１２４ｂ，１３３ｂ）、カム傾斜部（１２４ｃ，１３３ｃ）が互いに同一の形状を有してなる。即ち、カバー側カムとキャップ側カムは、共通のカムプロファイルを有して構成されている。従って、カバー部材１２とキャップ部材１３とが相対回転すると、これらの界面であるカバー側カムとキャップ側カムとが互いに摺接しながら、互いの当接位置を徐々に変化させることで、カバー部材１２に対するキャップ部材１３のリフト量が変更される。
【００５１】
例えば、カバー側カムとキャップ側カムにおける互いのカム凸部（１２４ａ，１３３ａ）と、カム凹部（１３３ｂ，１２４ｂ）が係合した状態（以下、「凹凸係合状態」という）で、キャップ部材１３のリフト量が最小となり（最小リフト量となり）、カバー側カムとキャップ側カムにおける互いのカム凸部同士（１２４ａ，１３３ａ）が係合（重なり合った）状態（以下、「凸凸重積状態」という）で、キャップ部材１３のリフト量が最大となる（最大リフト量となる）。また、カバー側カム（キャップ側カム）のカム凸部１２４ａ（１３３ａ）が、キャップ側カム（カバー側カム）のカム傾斜部１３３ｃ（１２４ｃ）と係合（重なり合った）状態では、キャップ部材１３のリフト量は最小から最大までの中間的な値となる。
【００５２】
次に、図９Ｂ、図１０及び図１３を参照して、回転規制機構ＣＣＭの構成について説明する。図９Ｂ、図１０に示すように、カバー部材１２の裏面側の入隅部には、係止用突起１２５が形成されている。係止用突起１２５の形状は特定形状に限定されるものではないが、ここでは例示的に直方体形状を有してなる。図面から明らかなように、カバー部材１２には、４つの係止用突起１２５が中心軸ＣＬを中心に９０°間隔で配置されている。
【００５３】
一方、図１３に示すように、ベース部材１１の大径部１１１ａにおける周縁の上隅部には嵌合溝１１９が形成されている。この嵌合溝１１９は、カバー部材１２の係止用突起１２５を嵌合可能なように、該係止用突起１２５と相補的な形状を有してなる。また、ベース部材１１には、中心軸ＣＬを中心に４つの嵌合溝１１９が９０°間隔で配置されている。
【００５４】
以上のように構成される回転規制機構ＣＣＭは、係止用突起１２５と嵌合溝１１９が嵌合した状態において、ベース部材１１に対するカバー部材１２の相対回転を規制する。
【００５５】
ところで、キャップ部材１３は所定範囲内で中心軸ＣＬ方向に往復動自在にベース部材１１と連結されている。また、バネ部材１４１は、キャップ部材１３及びカバー部材１２を、ベース部材１１に接近する方向に付勢する。そこで、正当な施解錠者がカバー部材１２を握り、バネ部材１４１の付勢力に抗してカバー部材１２を扉前方に引き出す（引っ張る）ことにより、係止用突起１２５及び嵌合溝１１９の嵌合が解除される。そうすると、カバー部材１２の相対回転が許容されるようになる。
【００５６】
ベース部材１１に対するカバー部材１２の中心軸ＣＬ方向の相対位置を「軸方向位置」と称する。係止用突起１２５が嵌合溝１１９に嵌合されているときの軸方向位置を第一軸方向位置（第一位置に相当）とする。これに対して、カバー部材１２がベース部材１１から離間して、係止用突起１２５及び嵌合溝１１９の嵌合が解除されるときの軸方向位置を第二軸方向位置（第一位置に相当）とする。回転規制機構ＣＣＭは、カバー部材１２の軸方向位置が第一軸方向位置にあるときにその回転動作を規制する一方、軸方向位置が第二軸方向位置にあるときにその回転動作を許容する。
【００５７】
ベース部材１１に対するカバー部材１２の相対回転位置を「カバー回転位置」と称する。係止用突起１２５及び嵌合溝１１９は中心軸ＣＬ周りに９０°毎に配置されるため、カバー回転位置が９０°変化する度に、係止用突起１２５が嵌合溝１１９に嵌合される状態と、その嵌合が解除される状態とが切り替わる。言い換えると、カバー回転位置が９０°変化する度に、カバー部材１２の回転動作が規制される状態（以下、「ロック状態」という）と、その規制が解除される状態（以下、「ロック解除状態」という）とが切り替わる。
【００５８】
ロック状態とロック解除状態との切り替えが行われるカバー回転位置を「ロック切り替え位置」と称する。ロック切り替え位置は、中心軸ＣＬ廻りに９０°毎に存在する。従って、ロック解除状態にあるカバー部材１２のカバー回転位置がロック切り替え位置に到達すると、係止用突起１２５及び嵌合溝１１９が中心軸ＣＬ方向に重なった状態となる。そうすると、バネ部材１４１の付勢力の作用によって、カバー部材１２が第二軸方向位置から第一軸方向位置まで強制的に変位させられる。その結果、係止用突起１２５及び嵌合溝１１９が自動的に嵌合されて、ロック解除状態からロック状態に切り替わる。
【００５９】
次に、扉錠１００の施解錠操作時と非施解錠操作時とにおける扉錠用鍵穴カバー１の状態、及び相互の切り替え時における動作状況について説明する。図１４乃至図１８は、扉錠用鍵穴カバーの使用状態を示す第一乃至第五の状態図である。
【００６０】
図１４は、非施解錠操作時における扉錠用鍵穴カバー１の状態を示している。図示のように、非施解錠操作時においては、回転規制機構ＣＣＭによって、係止用突起１２５及び嵌合溝１１９が嵌合されたロック状態にカバー部材１２が維持されている。この状態では、カバー部材１２のカバー回転位置が「ロック切り替え位置」にある。カムリング機構ＣＲＭは、カバー回転位置が「ロック切り替え位置」のときに、カバー側カムとキャップ側カムの当接状態が凹凸係合状態となるように構成されている。言い換えると、凹凸係合状態が実現されるカバー回転位置と「ロック切り替え位置」が一致するように、係止用突起１２５及び嵌合溝１１９が配置されている。
【００６１】
また、本実施形態では、カバー側カムとキャップ側カムの当接状態が凹凸係合状態のときに、キャップ嵌合穴１２１に嵌合されているキャップ部材１３の表面とカバー部材１２の表面との間に段差の無い状態（いわゆる面一状態）になるように、双方の部材が構成さ
れている。従って、扉錠１００の非施解錠操作時においては、キャップ部材１３を埋没嵌合状態とすることができる。因みに、埋没嵌合状態においては、キャップ部材１３が鍵操作穴１１４を覆っている。そして、この状態では、キャップ部材１３を手で掴むことができないため、例えば部外者によって、強引にキャップ部材１３が外部に引き抜かれる虞がない。
【００６２】
更に、非施解錠操作時においてカバー部材１２がロック状態にあるため、扉錠用鍵穴カバー１の取扱い方法を知らない部外者は、カバー部材１２を回転させることができない。従って、部外者は、キャップ部材１３の嵌合状態を、埋没嵌合状態から嵌合解除状態に切り替える事ができない。そのため、非施解錠操作時において、キャップ部材１３が回動されて鍵操作穴１１４が開放されることがなく、鍵穴１０３が外部に露出されることが無い。これにより、非施解錠操作時に、部外者によって扉錠１００が不正に解錠されたり、鍵穴１０３に悪戯されたりすることが抑制される。
【００６３】
一方、扉錠用鍵穴カバー１の取扱い方法を知っている正当な施解錠者にとっては、施解錠操作時に以下の手順によって簡単に鍵穴１０３を開放することができる。すなわち、図１５に示した状態のように、カバー部材１２が扉前方に引き出される。これにより、カバー部材１２の軸方向位置が、第一軸方向位置から第二軸方向位置まで変位し、カバー部材１２のロック状態が解除される。尚、この状態では、依然として、カバー側カムとキャップ側カムとの当接状態が凹凸係合状態となっており、キャップ部材１３は埋没嵌合状態に維持されている。
【００６４】
図１５の状態からカバー部材１２を回転させると、図１６に示すような状態となる。ここで、キャップ部材１３は、ベース部材１１の付勢力によってベース部材１１方向に向かって付勢されている。従って、ベース部材１１に対してカバー部材１２を回転させると、ベース部材１１とキャップ部材１３が相対的に回転するようになる。その結果、カバー側カムとキャップ側カムとの当接位置が変化するため、カバー部材１２におけるカバー回転位置の変化に応じて、キャップ部材１３のリフト量が徐々に増加する。尚、図１６に示した状態は、図１５の状態からカバー部材１２を４５°回転させた状態であり、埋没嵌合状態から嵌合解除状態に切り替わる途中の状態に相当する。
【００６５】
そして、図１５の状態からカバー部材１２を９０°回転させると、図１７に示す状態となる。そうすると、カバー側カムとキャップ側カムの当接状態が凸凸重積状態になり、キャップ部材１３が嵌合解除状態となる。それと同時に、カバー部材１２におけるカバー回転位置がロック切り替え位置に一致するようになる。そうすると、カバー部材１２に対するバネ部材１４１の付勢力によって、係止用突起１２５及び嵌合溝１１９が自動的に嵌合される。これにより、カバー部材１２がロック解除状態からロック状態に切り替わり、その回転動作が規制される。
【００６６】
正当な施解錠者は、このようにキャップ部材１３を嵌合解除状態に切り替えることで、図１８に示すように軸部材１３１を中心にキャップ部材１３を回動させる事ができる。これにより、キャップ部材１３によって覆われていた鍵操作穴１１４を露出させる事ができ、錠１００の鍵穴１０３を開放させる事ができる。従って、鍵Ｋを鍵操作穴１１４、鍵穴１０３に挿入させることで、扉錠１００の施解錠操作を行うことができる。
【００６７】
尚、図１８に示した状態から、鍵穴１０３を隠すべくキャップ部材１３を埋没嵌合状態にするには以下のような操作を行えばよい。即ち、カバー部材１２を扉前方に引き出し、カバー部材１２のロック状態を解除した状態で、カバー部材１２をベース部材１１に対して９０°回転させるのである。これによれば、カバー側カムとキャップ側カムの当接状態が再び凹凸係合状態となるため、キャップ部材１３を埋没嵌合状態に切り替える事ができ
る。
【００６８】
以上のように、本実施形態に係る扉錠用鍵穴カバー１において、カムリング機構ＣＲＭは、カバー部材１２の回転動作に連動して、キャップ部材１３における埋没嵌合状態と嵌合解除状態の切り替えを行う。そして、回転規制機構ＣＣＭは、カムリング機構ＣＲＭが埋没嵌合状態と嵌合解除状態の切り替えを行うタイミングに同期して、カバー部材１２におけるロック状態とロック解除状態との切り替えを行うように構成されている。
【００６９】
これによれば、正当な施解錠者に対しては鍵や特殊な用具等を用いることなく、簡単な操作のみで扉錠１００の鍵穴１０３を開放させる事を可能とする。一方、部外者に対しては不正に鍵穴１０３を開放させることを不可能とする。従って、施錠された状態にある扉錠１００が、部外者によって不正に解錠されたり、鍵穴１０３に異物を詰められる等の悪戯の被害に遭うことを回避する事ができる。
【００７０】
以上、本発明を実施する形態を説明したが、本発明の本旨を逸脱しない範囲内において上記した実施形態には種々の変更を加えてもよい。例えば、扉錠用鍵穴カバー１を適用する扉錠１００については、特定の構造、形式、種別等に限定されるものではない。例えば、扉錠１００は、電力関連施設に用いられるピラー錠であってもよい。ピラー錠は、例えば高圧キャビネット、気中多回路開閉器、地上用変圧器等の地中機器の扉及び借室用電気室の出入口扉等に取り付けて使用することができる。
【００７１】
また、本実施形態では、カバー部材１２側に係止用突起１２５を設け、ベース部材１１側に嵌合溝１１９を設けているが、それぞれを逆側の部材に設けて構成してもよい。また、係止用突起１２５及び嵌合溝１１９それぞれの形状、大きさ、配置位置等も、適宜変更できる。
【００７２】
例えば、ベース部材１１の大径部１１１ａの外周面に中心軸ＣＬと直交する周方向の周溝を該外周面の全周にわたって形成し、この周溝にカバー部材１２の係止用突起１２５を嵌合させることで、ベース部材１１に対してカバー部材１２を相対回転させてもよい。そして、前述のロック切り替え位置において、カバー部材１２のロック状態とロック解除状態の切り替えを行うべく、上記周溝を基点に錠ケース本体１０１方向に延びる直交溝を設けてもよい。この場合、係止用突起１２５が周溝に嵌合された状態のときにはロック解除状態に維持される。そして、係止用突起１２５が周溝と直交溝の交点を経て、直交溝に押し込まれることで、カバー部材１２をロック解除状態からロック状態へと切り替える事ができる。
【符号の説明】
【００７３】
１  扉錠用鍵穴カバー
１１  ベース部材
１２  カバー部材
１３  キャップ部材
１００  扉錠
１０３  鍵穴
１１４  鍵操作穴
１２１  キャップ嵌合穴
１２４ａ，１３３ａ  カム凸部
１２４ｂ，１３３ｂ  カム凹部
【図１】
2011202485.tif 000003
【図２】
2011202485.tif 000004
【図３】
2011202485.tif 000005
【図４】
2011202485.tif 000006
【図５】
2011202485.tif 000007
【図６】
2011202485.tif 000008
【図７】
2011202485.tif 000009
【図８】
2011202485.tif 000010
【図９Ａ】
2011202485.tif 000011
【図９Ｂ】
2011202485.tif 000012
【図１０】
2011202485.tif 000013
【図１１】
2011202485.tif 000014
【図１２】
2011202485.tif 000015
【図１３】
2011202485.tif 000016
【図１４】
2011202485.tif 000017
【図１５】
2011202485.tif 000018
【図１６】
2011202485.tif 000019
【図１７】
2011202485.tif 000020
【図１８】
2011202485.tif 000021